(57)【要約】      （修正有）【課題】任意の場所で簡便に弦の張力を計測できる小型のデジタル弓秤を提供する。【解決手段】デジタル弓秤１は、歪みゲージ、タイマー、制御用ＩＣ、電池等を内臓し、上面に受圧部２とデジタル表示部３と電源スイッチ４とが配設された棒状体で掌サイズのデジタル秤５を備えている。デジタル秤５の受圧部を、表面に弓の弦を通す細溝６が形成された受圧部２に置換することにより構成し、デジタル弓秤１の長手軸Ｘに対して傾斜して細溝６が形成され、細溝６の長手方向両端近傍部の両側の溝土手に溝長手方向の段差７が形成されている。デジタル秤５の受圧部２が配設された面とは反対側の面に、長手方向中央部が肉薄で両端部が肉厚の指掛け部材８が固定されている。指掛け部材８の肉薄部が形成する凹部が、弓を引く際に人指し指から小指までの４本の指を掛ける指掛け部９を形成し、指掛け部９に、使用者の中指と薬指と小指を挿通する穴１０ａを形成する把手１０が固定されている。【選択図】図１
0003223148.tif 000002
【実用新案登録請求の範囲】
【請求項１】
受圧部の表面に弓の弦を通す細溝が形成されていることを特徴とする棒状体で掌サイズのデジタル弓秤。
【請求項２】
一定の荷重が所定時間継続した時に当該荷重を固定表示する制御装置を備えることを特徴とする請求項１に記載のデジタル弓秤。
【請求項３】
棒状体の長手軸に対して傾斜して細溝が形成されていることを特徴とする請求項１又は２に記載のデジタル弓秤。
【請求項４】
細溝の長手方向両端近傍部の両側の溝土手に溝長手方向の段差が形成され、或いは細溝の長手方向両端近傍部の両側に突起が形成されていることを特徴とする請求項１乃至３の何れか１項に記載のデジタル弓秤。
【請求項５】
受圧部が配設された面とは反対側の面に形成された凹部によって、人指し指から小指までの４本の指を掛ける指掛け部が形成されていることを特徴とする請求項１乃至４の何れか１項に記載のデジタル弓秤。
【請求項６】
受圧部が配設された面とは反対側の面に、人の中指、薬指、小指の中の少なくとも１本を挿通する穴を形成する把手が配設されていることを特徴とする請求項１乃至５の何れか１項に記載のデジタル弓秤。
【考案の詳細な説明】
【技術分野】
【０００１】
本考案は、弓弦の張力を計測する小型のデジタル弓秤に関するものである。
【背景技術】
【０００２】
吊り下げ秤方式の小型デジタル弓秤が市販されている。当該デジタル弓秤を使用する際には、本体の一端に取り付けられたリングを柱等に固定された支持具に係合させ、本体の他端に取り付けられたフックに弓弦の長さ方向中央部を係合させ、弓を手に持ち、満を持した状態まで弓を引き、その状態で本体の表示部に表示されたデジタル数値を目視して、弦の張力、正確には弦張力の弓に直交する方向の分力、を計測する。
【考案の概要】
【考案が解決しようとする課題】
【０００３】
従来の小型デジタル弓秤には、計測の際に、リングを係合させる支持具と支持具を固定する構造物を必要とし、また計測の際にはリングを支持具に係合させる必要があるので、任意の場所で且つ簡便に弦の張力を計測できないという問題があった。
本考案は上記問題に鑑みてなされたものであり、任意の場所で簡便に弦の張力を計測できる小型デジタル弓秤を提供することを目的とする。
【課題を解決するための手段】
【０００４】
上記課題を解決するために、本考案においては、受圧部の表面に弓の弦を通す細溝が形成されていることを特徴とする棒状体で掌サイズのデジタル弓秤を提供する。
本考案に係るデジタル弓秤は、棒状体で掌サイズの市販のデジタル秤の受圧部、より詳細には旅行鞄の把手や荷物を縛った紐などを係合させるための広幅の凹部が表面に形成された受圧部、を弓の弦を通す細溝が表面に形成された受圧部に置換することにより構成した弓秤である。
弦を持つ手で本考案に係るデジタル弓秤に指を掛け、弦を受圧部表面の細溝に係合させ、満を持した状態まで一杯に弓を引き、デジタル表示された弦の張力を目視する。本考案に係るデジタル弓秤を使えば、任意の場所で簡便に弦の張力を計測することができる。
【０００５】
本考案の好ましい態様においては、デジタル弓秤は、一定の荷重が所定時間継続した時に当該荷重を固定表示する制御装置を備えている。
前述の棒状体で掌サイズの市販のデジタル秤は、一定の荷重が所定時間継続した時に当該荷重を固定表示する制御装置を備えている。満を持した状態まで一杯に弓を引いた状態で、指を掛けたデジタル弓秤の表示を目視するのは困難な場合があるので、満を持した状態まで一杯に弓を引いた状態を所定時間継続すれば弦の張力が固定表示される機能は、便利である。
本考案の好ましい態様においては、棒状体の長手軸に対して傾斜して細溝が形成されている。
弦の張力を正確に計測するために、デジタル弓秤と弦との干渉部は受圧部の細溝に限定する必要がある。棒状体の長手軸に対して傾斜して細溝が形成されていれば、細溝に弦を係合させてデジタル弓秤に指を掛けると、デジタル弓秤は弦に対して斜交するので、指の掛け易さを担保しつつ、デジタル弓秤と弦との干渉部を細溝に限定することができる。
本考案の好ましい態様においては、細溝の長手方向両端近傍部の両側の溝土手に溝長手方向の段差が形成され、或いは細溝の長手方向両端近傍部の両側に突起が形成されている。
弓を引く際に弦が細溝の幅方向に横移動して細溝から離脱する場合がある。細溝の長手方向両端近傍部の両側の溝土手に溝長手方向の段差を形成しておけば、或いは細溝の長手方向両端近傍部の両側に突起を形成しておけば、細溝の幅方向に横移動した弦が前記段差や前記突起に掛かって、弦の横移動が規制され、細溝からの離脱が阻止される。
本考案の好ましい態様においては、受圧部が配設された面とは反対側の面に形成された凹部によって、人指し指から小指までの４本の指を掛ける指掛け部が形成されている。
指掛け部に人指し指から小指に至る４本の指を掛けることにより、弓を安定的に引くことができる。
本考案の好ましい態様においては、受圧部が配設された面とは反対側の面に、人の中指、薬指、小指の中の少なくとも１本を挿通する穴を形成する把手が配設されている。
把手が形成する穴に中指、薬指、小指の中の少なくとも１本を挿通しておけば、弦の張力を計測した後に弦から手を離した際に、デジタル弓秤が手から離れて落下するのを防止できる。
【図面の簡単な説明】
【０００６】
【図１】本考案の実施例に係るデジタル弓秤の外観斜視図である。
【図２】本考案の実施例に係るデジタル弓秤の使用時の外観斜視図である。
【図３】本考案の実施例に係るデジタル弓秤の使用時の、手を除いた外観斜視図である。
【考案を実施するための形態】
【０００７】
図１〜３に示すように、本実施例に係るデジタル弓秤１は、図示しない歪みゲージ、タイマー、制御用ＩＣ、電池等を内臓し、上面に受圧部２とデジタル表示部３と電源スイッチ４とが配設された棒状体で掌サイズのデジタル秤５を備えている。デジタル秤５は、受圧部２を除いて、市販品である。市販品のデジタル秤５の図示しない受圧部は、外形は受圧部２と同様であり、旅行鞄の把手や荷物を縛った紐などを係合させるための広幅の凹部が表面に形成されている。市販品のデジタル秤５は、電源スイッチ４をＯＮにし、受圧部の広幅の凹部に旅行鞄の把手や荷物を縛った紐などを係合させ、デジタル秤５の長手方向両端を両手で支えて持ち上げ、所定時間持ち上げた状態を維持して、デジタル表示部３に旅行鞄や荷物の重量を固定表示するように構成されている。
デジタル弓秤１は、前述の市販のデジタル秤５の受圧部を、表面に弓の弦を通す細溝６が形成された受圧部２に置換することにより構成したデジタル弓秤ある。
棒状体であるデジタル弓秤１の長手軸Ｘに対して傾斜して細溝６が形成されている。
図１に詳細を示すように、細溝６の長手方向両端近傍部の両側の溝土手に溝長手方向の段差７が形成されている。
デジタル秤５の受圧部２が配設された面とは反対側の面に、長手方向中央部が肉薄で両端部が肉厚の指掛け部材８が固定されている。指掛け部材８の肉薄部が形成する凹部が、弓を引く際に人指し指から小指までの４本の指を掛ける指掛け部９を形成している。
指掛け部９に、使用者の中指と薬指と小指を挿通する穴１０ａを形成する把手１０が固定されている。
【０００８】
デジタル弓秤１の作動を説明する。
図２に示すように、弓の弦１００を持つ手２００でデジタル弓秤１の指掛け部９に人指し指から小指に至る４本の指を掛け、弦１００を受圧部２表面の細溝６に係合させる。満を持した状態まで一杯に図示しない弓を引き、その状態を所定時間維持すると、弦１００の張力が、正確には弦１００の張力の図示しない弓に直交する矢印Ｙ方向の分力が、デジタル表示部３に固定表示される。デジタル弓秤１を使えば、任意の場所で簡便に弦１００の張力を計測することができる。また、デジタル弓秤１は、実際に弓を引く動作を再現しつつ弦の張力を計測できるので、弓を引く過程での弦の張力の変化、すなわち弓の特性を簡便に計測できるという利点を有する。
弦１００の張力を正確に計測するために、デジタル弓秤１と弦１００との干渉部は受圧部２の細溝６に限定する必要がある。棒状体であるデジタル弓秤１の長手軸Ｘに対して傾斜して細溝６が形成されているので、細溝６に弦１００を係合させてデジタル弓秤１に指を掛けると、デジタル弓秤１は弦１００に対して斜交する。これにより、指の掛け易さを担保しつつ、デジタル弓秤１と弦１００との干渉部を細溝６に限定することができる。
弓を引く際に弦１００が細溝６の幅方向に横移動して細溝６から離脱する場合がある。細溝６の長手方向両端近傍部の両側の溝土手に溝長手方向の段差７を形成したので、細溝６の幅方向に横移動した弦１００が段差７に掛かって、弦１００の横移動が規制され、細溝６からの弦１００の離脱が阻止される。
指掛け部材８が形成する指掛け部９に人指し指から小指に至る４本の指を掛けることにより、弓を安定的に引くことができる。
受圧部２が配設された面とは反対側の面、より具体的には指掛け部材８が形成する指掛け部９、に固定された把手１０が形成する穴１０ａに中指と薬指と小指とを挿通しておけば、弦１００の張力を計測した後に弦１００から手を離した際に、デジタル弓秤１が手から離れて落下するのを防止できる。
【０００９】
デジタル弓秤１は、一定の荷重が所定時間継続した時に当該荷重を固定表示する制御装置に代えて、荷重を時々刻々に表示する制御装置を備えても良い。この場合は、満を持した状態まで一杯に弓を引いた状態を維持しつつ、デジタル表示された弦の張力を、若干の困難を感じながら自ら目視し、或いは他者に目視して貰えば良い。
細溝６の長手方向両端近傍部の両側の溝土手に溝長手方向の段差７を形成するのに代えて、細溝の長手方向両端近傍部の両側に突起を形成しても良い。細溝６の幅方向に横移動した弦１００が前記突起に掛かって、弦１００の横移動が規制され、細溝６からの弦１００の離脱が阻止される。
ゆ把手１０が形成する穴１０ａは、中指、薬指、小指用の何れか１本又は２本を挿通できる穴でも良い。
【産業上の利用可能性】
【００１０】
本考案は、広く弓秤に使用可能である。
【符号の説明】
【００１１】
１  デジタル弓秤
２  受圧部
３  デジタル表示部
４  電源スイッチ
５  デジタル秤
６  細溝
７  段差
８  指掛け部材
９  指掛け部
１０  把手
１０ａ  穴
１００  弦
２００  手
【図１】
0003223148.tif 000003
【図２】
0003223148.tif 000004
【図３】
0003223148.tif 000005